(57)【要約】【課題】どのような外部装置が接続されているかを判定できる電子機器を提供すること【解決手段】音声信号を入力可能な外部装置が接続されるイヤホンジャック１１４と、前記イヤホンジャック１１４に接続された外部装置を識別可能な判定部１１８と、前記判定部１１８によって識別される、前記イヤホンジャック１１４に接続された外部装置に基づいた処理を行う音声補正部１１６と、を備える。【選択図】図４
2010011080.tif 000002
【特許請求の範囲】
【請求項１】
受付けた音声に基づく音声信号を出力する外部装置を接続可能な接続部と、
前記接続部に接続された外部装置を識別可能な判定部と、
前記判定部によって識別される前記接続部に接続された外部装置の種類に基づいた音声処理の補正を行う補正部と、
を備えることを特徴とする電子機器。
【請求項２】
前記補正部は、前記判定部による識別に基づき前記接続部を介して前記外部装置から入力された前記音声信号の補正を行う音声補正部である
ことを特徴とする請求項１に記載の電子機器。
【請求項３】
前記音声補正部は、前記判定部により前記外部装置が外部音声補正部を有していると判定されると、前記音声信号の補正を抑制し、
前記判定部により前記外部装置が外部音声補正部を有していないと判定されると、前記音声信号の補正を行う
ことを特徴とする請求項２に記載の電子機器。
【請求項４】
前記判定部は、外部装置に電気を供給する回路と前記接続部とを介して前記外部装置から音声信号を受付ける
ことを特徴とする請求項１から３のいずれかに記載の電子機器。
【発明の詳細な説明】
【技術分野】
【０００１】
本発明は、外部装置を接続可能な接続部を有する電子機器に関する。
【背景技術】
【０００２】
現在市場に流通している携帯電話機は、例えば骨伝導イヤホンマイク、純正品マイク又はハンズフリー用などの携帯電話機に接続可能な外部装置から音声の入力を行うことが可能である。
【０００３】
また、前述した外部装置は、例えば入力された音声を最適な音声でユーザの通信相手に提供することを目的として、音声の入力信号を補正する音声補正部などの回路を有しているものが多数ある（例えば特許文献１）。
【特許文献１】特開２００２−１２５２９８号公報
【発明の開示】
【発明が解決しようとする課題】
【０００４】
しかしながら、携帯電話において接続された外部装置がどのような特徴を有しているか、携帯電話側が判断する方法が今まではなかった。従って、外部装置に応じた制御を携帯電話機が有する制御部が行うことが出来なかった。
【０００５】
本発明の目的は、外部装置から受付ける音声信号に基づいて、接続された外部装置の種類を判定し、判定内容に基づいて外部装置に適した補正を行うことが可能な電子機器を提供することである。
【課題を解決するための手段】
【０００６】
本願発明にかかる電子機器は、音声を受付けて音声信号を出力する外部装置を接続可能な接続部と、前記接続部に接続された外部装置を識別可能な判定部と、前記判定部によって識別される前記接続部に接続された外部装置の種類に基づいた音声処理の補正を行う補正部と、を備えることを特徴とする。
【０００７】
さらに好適には、前記電子機器は、前記補正部は、前記判定部による識別に基づき前記接続部を介して前記外部装置から入力された前記音声信号の補正を行う音声補正部であることを特徴とする。
【０００８】
さらに好適には、前記電子機器は、前記音声補正部は、前記判定部により前記外部装置が外部音声補正部を有していると判定されると、前記音声信号の補正を抑制し、前記判定部により前記外部装置が外部音声補正部を有していないと判定されると、前記音声信号の補正を行うことを特徴とする。
【０００９】
さらに好適には、前記電子機器は、前記判定部は、外部装置に電気を供給する回路及び前記接続部を介して前記外部装置からの音声信号に基づき判定することを特徴とする。
【発明の効果】
【００１０】
本発明によると、外部装置から受付ける音声信号に基づいて、接続された外部装置の種類を判定するため、判定内容に基づいて外部装置に適した補正を行うことが可能な電子機器を提供することが可能となる。
【発明を実施するための最良の形態】
【００１１】
以下、本発明を実施するための最良の形態について、図面を用いて説明する。
【００１２】
本発明における電子機器の実施形態である携帯電話機１００を図１から図６を用いて説明する。
【００１３】
図１は本実施の形態の携帯電話機１００に外部装置としてのヘッドセット２００が接続された様子を示す外観図である。また、図２は、携帯電話機１００の主要な構成を示すブロック図であり、図３、図４はそれぞれ、ヘッドセットとして通常通話用イヤホンマイク２０１が携帯電話機１００に接続されたときのブロック図、ヘッドセットとして骨伝導イヤホンマイク２０２が携帯電話機１００に接続されたときのブロック図である。
【００１４】
図１に示すように、携帯電話機１００は、折り畳み型の携帯電話機１００であって、矩形状で薄型の第１筐体１０１と、矩形状で薄型の第２筐体１０２と、を備える。
【００１５】
第２筐体１０２の上端部と第１筐体１０１の下端部とは、ヒンジ機構１０６を介して開閉可能に連結されている。携帯電話機１００は、ヒンジ機構１０６を介して連結された第２筐体１０２と第１筐体１０１とを相対的に回転（回動）することにより、第２筐体１０２と第１筐体１０１とが互いに開いた状態（開放状態）にしたり、第２筐体１０２と第１筐体１０１とを折り畳んだ状態（折畳み状態）にしたりできる。なお、本実施形態において、携帯無線機として折り畳み式の携帯電話機１００の説明をしているが、折り畳み式ではなく、両筐体１０１、１０２を重ね合わせた状態から一方の筐体を一方向にスライドさせるようにしたスライド式や、重ね合せ方向に沿う軸線を中心に一方の筐体を回転させるようにした回転式や、両筐体１０１、１０２を２軸ヒンジにて連結したもの、更には、後述する表示部１０３及び操作部１０５が一つの筐体に配置されるものでもよい。
【００１６】
図１に示すように、第１筐体１０１は、折り畳んだ状態で第２筐体１０２と向かい合う面である内側面に配置され各種情報を表示する表示部１０３と、通話の相手側の音声を出力する通話用スピーカ１０４と、を備える。
【００１７】
第１筐体１０１は、フロントケースとリアケースとの内部に不図示の回路基板を収納する。この回路基板の表面には表示部１０３を構成する液晶モジュールが配置される。液晶モジュールは、フロントケースから表示面が露出するようにして収納される。また、回路基板には、スピーカ等の各種電子部品が実装されて電気的に接続されている。
【００１８】
また、第１筐体１０１は、ヒンジ機構１０６と反対側の端部に通話用スピーカ１１３を備えている。携帯電話機１００によって通話が行われる際、通話相手の発した音声は、通話用スピーカ１１３を介してユーザに伝えられる。
【００１９】
図１に示すように、第２筐体１０２は、折り畳んだ状態で第１筐体１０１と向かい合う面である内側面に配置される操作部１０５と、携帯電話機１００の使用者が通話時に発した音声が入力される通話用マイク１１２と、内側面とは反対側の面である外側面側に配置される図１において不図示のバッテリを備える。操作部１０５は、各種設定や電話帳機能やメール機能等の各種機能を作動させるための機能設定操作ボタンと、電話番号の数字やメール等の文字等を入力するための入力操作ボタンと、各種操作における決定やスクロール等を行う決定操作ボタンと、から構成される。
【００２０】
また、第２筐体１０２は、その内部に通信部１１５を有している。通信部１１５は、携帯電話機等の他の通信機器との間で通話を行ったり、インターネット網を介して各種サーバと接続して電子メール等の各種情報の送受信を行ったりする。また、第２筐体１０２は、イヤホンジャック１１４（接続部）を備えている。イヤホンジャック１１４は、第２筐体１０２の側面に形成された開口部を臨むような状態で設けられている。具体的には、イヤホンキャップを開いたときに、図示外の各種の外部器機と接続するイヤホンジャック１１４の接続端部がこの開口部を介して外部に露出するような状態で設けられている。
【００２１】
図１に示されるようにイヤホンジャック１１４には、ヘッドセット２００が接続可能である。このヘッドセット２００は、イヤホンジャック１１４に接続されるコネクタ２０４、コード２０１、ヘッドセットマイク２０２及びヘッドセットスピーカ２０３を有する。コネクタ２０４は、イヤホンジャック１１４を介して携帯電話機１００と電気信号を送受信することが可能な構成となっている。
【００２２】
ヘッドセットスピーカ２０３は、コネクタ２０４、コード２０１を介して携帯電話機１００から入力された音声信号を音声に変更して出力する。
【００２３】
ヘッドセットマイク２０２は、ユーザの発した音声を収集しその音声を電気信号に変換する。そして、ヘッドセットマイク２０２において発生した電気信号をコード２０１、２コネクタ０４及びイヤホンジャック１１４を介して、後に詳述する音声補正部１１６へ伝える。
【００２４】
なお、イヤホンジャック１１４にコネクタ２０４が接続されているときには、後に詳述する制御部１１７によって、通話用マイク１１２から音声は収集されないように制御され、また、通話用スピーカ１１３から音声が出力されないように制御される。
【００２５】
図２は、携帯電話機１００が有する主要な機能の関係を示したブロック図である。前述したように、携帯電話機１００は、表示部１０３、操作部１０５、通話用マイク１１２、通話用スピーカ１１３、イヤホンジャック１１４及び通信部１１５を有する。また、その他に、携帯電話機１００は、音声補正部１１６、制御部１１７、判定部１１８、マイクバイアス回路１１９及びマイクバイアス抵抗（Ｒｍｂ１２０）を備えている。
【００２６】
音声補正部１１６は、通話用マイク１１２又はヘッドセットマイク２０２によって収集された音声を、通話相手に最適な音声へと補正する。具体的には、音声補正部１１６は、通話用マイク１１２又はヘッドセットマイク２０２から収集された音声の特定の周波数領域のボリュームを上げたり下げたりする（いわゆるイコライジング）ことによって、通話用マイク１１２またはヘッドセットマイク２０２から収集された音声を通話相手にとって最適な音声へと補正する。逆に、通信部１１５を介して受信した通話相手の音声をイコライジングすることによって、通話相手からの音声を携帯電話機１００のユーザにとって最適な音声へと補正して通話用スピーカ１１３またはヘッドセットスピーカ２０３に伝える機能も有する。
【００２７】
マイクバイアス回路は、Ｒｍｂ１２０及びコード２０１を介してヘッドセットマイク２０２へ一定の電源電圧を印加する。Ｒｍｂ１２０は、ヘッドセットマイク２０２によって収集された音声信号を電圧変動による信号（電圧信号）へと変換し、音声補正部１１６及び判定部１１８へ当該電圧信号を供給する機能を有する。
【００２８】
判定部１１８は、前述したＲｍｂ１２０によって生成された電圧信号に基づいて、イヤホンジャック１１４に接続されているヘッドセット２００の種類を判定する。判定部１１８についての詳細は、後に図３及び図４を用いて説明する。
【００２９】
制御部１１７は、通信部１１５の制御を行うほか、表示部１０３に表示させる画像の制御、及び操作部１０５より入力を受け付けた入力に応じて例えば表示部１０３の表示を変更するといった制御を行う。また、イヤホンジャック１１４にコード２０１が接続されたとき、通話用スピーカ１１３による音声の発生及び通話用マイク１１２による音声の収集を行わせないよう制御する。
【００３０】
図３は、携帯電話機１００のイヤホンジャック１１４に例えば携帯電話通話専用のヘッドセット３００、つまりヘッドセット２００内にヘッドセットマイク２０２からの音声を補正する機能を有していないヘッドセット２００が取り付けられたときの様子を示したブロック図である。
【００３１】
また、携帯電話機１００のイヤホンジャック１１４に例えば骨伝導のヘッドセット４００、つまりヘッドセット２００内にヘッドセットマイク２０２からの音声を補正するヘッドセット音声補正部２０４機能を有しているヘッドセット２００が取り付けられたときの様子を示したブロック図である。
【００３２】
図３に示したように、ヘッドセット音声補正部２０４を有していないヘッドセット２００がイヤホンジャック１１４に接続された場合、マイクバイアス回路１１９は、ヘッドセット音声補正部２０４を介さずにヘッドセットスピーカ２０３へ電源電圧を印加することとなる。また、図４に示したように、ヘッドセット音声補正部２０４を有しているヘッドセット２００がイヤホンジャック１１４に接続された場合、マイクバイアス回路１１９はヘッドセット音声補正部２０４を介してヘッドセットスピーカ２０３へ電源電圧を印加することとなる。従って、ヘッドセット音声補正部２０４を有していないヘッドセット３００がイヤホンジャック１１４に接続されたときの音声補正部１１６及び判定部１１８に印加される電圧値は、ヘッドセット音声補正部２０４を有しているヘッドセット４００がイヤホンジャック１１４に接続されたときの音声補正部１１６及び判定部１１８に印加される電圧値に比して低くなる。
【００３３】
図５は、ヘッドセット３００（ヘッドセット音声補正部２０４を有していないヘッドセット）がイヤホンジャック１１４に接続された場合の判定部１１８にて検出した電圧信号と、ヘッドセット４００（ヘッドセット音声補正部２０４を有しているヘッドセット）がイヤホンジャック１１４に接続された場合の判定部１１８にて検出した電圧信号とを並べたグラフである。図５に示すとおり、イヤホンジャック１１４に接続されたヘッドセットがヘッドセット音声補正部２０４を有しているか否かで、判定部１１８において計測する電圧値は異なる。判定部１１８は、この電圧値の違いより、イヤホンジャック１１４に接続されているヘッドセットが、ヘッドセット音声補正部２０４を有しているか否かを判定する。
【００３４】
図６は、イヤホンジャック１１４にヘッドセット２００が接続されたときに、制御部１１７及び判定部１１８が行う処理を示したフローチャート図である。最初、ヘッドセットがイヤホンジャック１１４に接続されたことを制御部１１７が検出する（Ｓ６０１）。次に、判定部１１８は、印加された電圧値を計測する（Ｓ６０２）。判定部１１８は、自身に印加された電圧値の大小より、接続されたヘッドセットがヘッドセット音声補正部２０４を有しているか否かを判定する（Ｓ６０３）。判定部１１８による判定の結果、イヤホンジャック１１４に接続されたヘッドセットがヘッドセット音声補正部２０４を有していないと判定部１１８が判定した場合（Ｓ６０３／Ｙｅｓ）、判定部１１８は音声補正部１１６にヘッドセットマイク２０２からの音声に補正を行うように制御命令を出し、音声補正部１１６は音声補正を行う（Ｓ６０４）。判定部１１８による判定の結果、イヤホンジャック１１４に接続されたヘッドセットがヘッドセット音声補正部２０４を有してると判定部１１８が判定した場合（Ｓ６０３／Ｎｏ）、判定部１１８は音声補正部１１６にヘッドセットマイク２０２からの音声に補正を行わないように制御命令を出し、音声補正部１１６は音声補正を行わない（Ｓ６０５）。Ｓ６０５の場合、音声補正は、ヘッドセット音声補正部２０４において行われる。
【００３５】
以上説明したように、本願発明の一実施形態である携帯電話機１００は、回路の種類を検出することが可能となる。
【００３６】
また、ヘッドセットマイク２０２から入力された適切な補正を行うことが可能な電子機器を提供することが可能である。
【００３７】
また、判定部によって、ヘッドセット音声補正部２０４を有するマイクが接続されたか否かを判定することが可能となるために、音声補正部１１６とヘッドセット音声補正部２０４の両方で音声の補正を行うことを防ぐことが可能となる。従って、ヘッドセットマイク２０２から収集された音声に対して過度な補正が施されることを防ぐことが可能となる。
【００３８】
また、従来より携帯電話機１００が備えているマイクバイアス回路１１９を利用することによって回路の有無を検出可能となるので、メーカは、別途新しい部品を携帯電話機１００に搭載することなく前述した効果を奏する携帯電話機１００の作製が可能となる。
【００３９】
なお、本実施形態においては、ヘッドセット内におけるヘッドセット音声補正部２０４の有無を検出する例を示したが、本発明の実施形態はこれに限定されない。例えば、本発明の実施形態の一つである携帯電話機１００は、ヘッドセット音声補正部２０４に相当するもの（例えば所定の抵抗値を有する抵抗。）を有しているメーカ純正品と、これを有していない模造品とを判定することが可能な携帯電話機１００であってもよい。
【図面の簡単な説明】
【００４０】
【図１】本実施の形態の携帯電話機１００に外部装置としてのヘッドセット２００が接続された様子を示す外観図である。
【図２】携帯電話機１００が有する主要な機能の関係を示したブロック図である。
【図３】携帯電話機１００のイヤホンジャック１１４にヘッドセット３００が接続された様子を示すブロック図である。
【図４】携帯電話機１００のイヤホンジャック１１４にヘッドセット４００が接続された様子を示すブロック図である。
【図５】図３の場合と図４の場合において、判定部１１８によって計測された電圧値を示すグラフである。
【図６】イヤホンジャック１１４にヘッドセット２００が接続されたときに、制御部１１７及び判定部１１８が行う処理を示したフローチャート図である。
【符号の説明】
【００４１】
１００  携帯電話機
１０１  第１筐体
１０２  第２筐体
１０３  表示部
１０５  操作部
１０６  ヒンジ機構
１１２  通話用マイク
１１３  通話用スピーカ
１１４  イヤホンジャック
１１５  通信部
１１６  音声補正部
１１７  制御部
１１８  判定部
１１９  マイクバイアス回路
１２０  Ｒｍｂ
２００  ヘッドセット
２０１  コード
２０２  ヘッドセットマイク
２０３  ヘッドセットスピーカ
２０４  ヘッドセット音声補正部
【図１】
2010011080.tif 000003
【図２】
2010011080.tif 000004
【図３】
2010011080.tif 000005
【図４】
2010011080.tif 000006
【図５】
2010011080.tif 000007
【図６】
2010011080.tif 000008